(57)【要約】【課題】開封しやすいブロー成形スタンディング薄肉容器を提供する。【解決手段】  内容物の充填空間を区画形成するとともに対向する側壁同士を密着させて充填空間の減容を可能とする薄肉の胴体壁部（１）と、この胴体壁部（１）の下端に一体的につながり該胴体壁部を内容物の有無にかかわりなしに起立させる薄肉の底壁部（２）とからなるブロー成形スタンディング薄肉容器において、前記胴体壁部（１）の上端角部に、該胴体壁部（１）とは異なる材質からなりその境界（Ｌ）に沿って引きちぎることによって容器内の内容物を排出する開口を形成する栓体（３）を設ける。【選択図】図１
2005187040.tif 000002
【特許請求の範囲】
【請求項１】
内容物の充填空間を区画形成するとともに対向する側壁同士を密着させて充填空間の減容を可能とする薄肉の胴体壁部と、この胴体壁部の下端に一体的につながり該胴体壁部を内容物の有無にかかわりなしに起立させる薄肉の底壁部とからなるブロー成形スタンディング薄肉容器であって、
前記胴体壁部の上端角部に、該胴体壁部とは異なる材質からなりその境界に沿って引きちぎることによって容器内の内容物を排出する開口を形成する栓体を設けたことを特徴とするブロー成形スタンディング薄肉容器。
【請求項２】
前記境界の少なくと１箇所に引きちぎりを容易にするＶノッチを有する請求項１記載のブロー成形スタンディング薄肉容器。
【請求項３】
前記栓体は、胴体壁部を構成する材料を少なくとも３０％含むブレンド材料よりなるブロー成形スタンディング薄肉容器
【発明の詳細な説明】
【技術分野】
【０００１】
本発明は、合成樹脂製のフィルムや金属製のフィルムにて構成されるパウチの代替に適したブロー成形スタンディング薄肉容器に関するものであり、該容器を簡易にかつ確実に開封しようとするものである。
【背景技術】
【０００２】
シャンプーやリンス、液体石鹸、化粧料を収納する据え置きタイプの容器は内容物の適量注出を可能とするディスペンサーを装着したものが一般に使用されており、このような容器に内容物を補充する詰め替え容器としては、合成樹脂製のフィルムや金属製のフィルムを適宜に貼り合わせたパウチやポリオレフィン系合成樹脂等をブロー成形した薄肉のブローボトルが用いられている（例えば、特許文献１参照）。
【０００３】
【特許文献１】特開平１１- １３０１１２号公報
【０００４】
上記のような従来の詰め替え容器は、鋏等の道具を使うかあるいは破断開口用の栓体（つまみ片）を引きちぎることで容器を開封するのが普通であるが、とくに、栓体を引きちぎることで開封するタイプの容器は、鋏等の道具が不要である利点があるものの、引きちぎりに際して樹脂が伸びてしまうこともあって開封しずらいところに問題を残していた。
【発明の開示】
【発明が解決しようとする課題】
【０００５】
本発明の課題は、樹脂の伸びを伴うことなしに簡易かつ確実に開封できる新規なブロー成形スタンディング薄肉容器を提案するところにある。
【課題を解決するための手段】
【０００６】
本発明は、内容物の充填空間を区画形成するとともに対向する側壁同士を密着させて充填空間の減容を可能とする薄肉の胴体壁部と、この胴体壁部の下端に一体的につながり該胴体壁部を内容物の有無にかかわりなしに起立させる薄肉の底壁部とからなるブロー成形スタンディング薄肉容器であって、
前記胴体壁部の上端角部に、該胴体壁部とは異なる材質からなりその境界に沿って引きちぎることによって容器内の内容物を排出する開口を形成する栓体を設けたことを特徴とするブロー成形スタンディング薄肉容器である。
【０００７】
上記の構成になる容器においては、前記境界の少なくと１箇所に引きちぎりを容易にするＶノッチを設けるのが好ましい。
【０００８】
また、前記栓体は、胴体壁部を構成する材料を少なくとも３０％含むブレンド材料にて構成することができる。
【発明の効果】
【０００９】
栓体を、容器本体とは異なる材質にて構成することにより、樹脂が延びることなしに栓体を引きちぎることができ、容易な開封が可能となる。
【発明を実施するための最良の形態】
【００１０】
以下、図面を用いて本発明をより具体的に説明する。
図１（ａ）（ｂ）は本発明に従う合成樹脂製のブロー成形スタンディング薄肉容器の実施の形態を示したものであり、（ａ）は正面図、（ｂ）は側面図である。
【００１１】
図における１は内容物の充填空間を区画形成するとともに対向する側壁同士を密着させて充填空間の減容を可能とする薄肉の胴体壁部、２はこの胴体壁部１の下端に一体的につながり該胴体壁部１を内容物の有無にかかわりなしに起立させる薄肉の底壁部、３は胴体壁部１の上端角部に設けられた栓体である。
【００１２】
栓体３は胴体壁部１とは異なる材質からなり、その境界Ｌに沿ってそれを引きちぎることによって容器内の内容物を排出する開口を形成することができるようになっている。
【００１３】
また、４は境界Ｌの一端に設けられたＶノッチ、５は胴体壁部１の上部に設けられ容器の充填空間に内容物を供給する充填部分である。内容物の充填後に充填部分５の開放端を熱融着することによって容器は密閉される。
【００１４】
栓体３を胴体壁部とは異なる材質にした上記のような構成の薄肉容器は、容器の開封に際して栓体３を容易かつ確実に引きちぎることができる。
【００１５】
上記の実施の形態では、栓体３の全体を胴体壁部１とは異なる材質としたが、境界Ｌに幅をもたせてそれを異材質としてもよい。
【００１６】
容器の本体を例えば中密度ポリエチレンにて成形した場合、栓体３の全部あるいは切断予定ラインＬはポリプロピレンにて成形することができ、この時、ポリプロピレンに少なくとも３０％程度の中密度ポリエチレンをブレンドすることで、栓体３の引きちぎりを阻害しない程度の結合力が得られる。
【００１７】
容器の胴体側壁を構成する樹脂としては、上記の中密度ポリエチレンの他、低密度ポリエチレン、高密度ポリエチレン、ポリプロピレン等のポリオレフィン系樹脂やポリエチレンテレフタレート等のポリエステル系樹脂が使用でき、これらの樹脂に加え、バリア層を形成する樹脂としてエチレンビニルアルコール共重合体樹脂、ナイロン樹脂等も使用可能である。栓体（切断予定ラインを含む）を構成する樹脂としては、前記容器からの栓体の引きちぎりを阻害しない程度の結合力が得られる樹脂であれば公知の各種樹脂が使用できる。
【００１８】
切断予定ラインＬは胴体壁部１と栓体３を相互に接続できる接着性の樹脂を異材質として使用することもできる。
【００１９】
具体的には、胴体壁部１、栓体３の何れにおいても接着ができるように、相溶性のないそれらの樹脂の何れか一方の基材に対して例えば酸変成ポリオレフィン（三井化学「アドマー」）等の接着性樹脂をブレンドする。これにより、それぞれが相溶性のない胴体壁部１と異材質である栓体３とが接着することとなる。接着強度については、ブレンドされる接着性樹脂の量を変更することで調整する。なお、本発明においては接着性樹脂のみにて胴体壁部１、栓体３を構成してもよく、また、胴体壁部１及び栓体３の何れか一方を構成する樹脂に対して引きちぎりを阻害しない程度の接着性を発揮する樹脂（１種類あるいはブレンドしたものでも可能）を採用してもよい。
【００２０】
本発明に従う容器は、基本的にはダイレクトブロー成形によって成形されるもので、栓体３、切断予定ラインＬを異材質とするに当たっては、押し出し成形によって異材質層（連続的に伸延するかあるいは断続的に設けられたもの）を形成した図２（ａ）（ｂ）に示したようなパリソンを使用する。
【００２１】
図２のうちの図２（ａ）は異材質層がパリソンの長手方向（高さ方向）にわたって存在するもので、このようなパリソンを使用して本発明に従う容器を成形する場合、容器の軸心に対して傾斜角をつけた金型を使用すること肝要であり、これにより胴体壁部１の上端角部にのみ異材質の栓体３を設けることが可能となる。
【００２２】
上記の実施の形態では、胴体壁部１の上端角部の一カ所にのみ栓体３を設けた例として示したが、該栓体３はもう一方の上端角部に設けることも可能であり、この場合、一方を注出口に、もう一方を空気取り入れ口とすることができ、内容物の安定した注出が可能となる。
【産業上の利用可能性】
【００２３】
栓体の引きちぎりによって簡単かつ綺麗に開封できる薄肉容器が提供できる。
【図面の簡単な説明】
【００２４】
【図１】本発明に従うブロー成形スタンディング薄肉容器を示したものであり（ａ）は正面図、（ｂ）は側面図である。
【図２】（ａ）（ｂ）は本発明に従う容器を成形するのに用いて好適なパリソンの外観を模式的に示した図である。
【符号の説明】
【００２５】
１  胴体壁部
２  底壁部
３  栓体
４  Ｖノッチ
５  充填部分
Ｌ  境界
【図１】
2005187040.tif 000003
【図２】
2005187040.tif 000004